(57)【要約】      （修正有）【課題】ネジを用いることなく、眼鏡脚を眼鏡フレームに容易に結合するための薄フレーム眼鏡組み合わせ構造を提供する。【解決手段】眼鏡フレームと、眼鏡脚とを含み、眼鏡フレームの両側には第１の結合部１２がそれぞれ設けられており、第１の結合部は、位置決め壁１２１と、上係止シート１２２と、下係止シート１２３とを含む。上係止シート及び下係止シートは、位置決め壁の上、下縁に垂直に設けられるとともに、その位置に対応する枢接槽１２４がそれぞれ設けられている。眼鏡脚は、眼鏡脚本体２１と第２の結合部２２とを含み、第２の結合部は、弾性シートであり、その先端部に２つの枢接槽に対応する係合孔２２１が設けられている。係合孔で枢接槽に係合し、眼鏡脚本体の前段を第１の結合部の外側から位置決め壁に当接し、眼鏡脚を第１の結合部に結合させることで、ネジのない薄フレーム眼鏡組み合わせ構造を構成する。【選択図】図２
0003194120.tif 000002
【実用新案登録請求の範囲】
【請求項１】
両側に連結段が設けられ、前記連結段の末端に第１の結合部が設けられており、前記第１の結合部は、位置決め壁と、上係止シートと、下係止シートとを含み、前記上係止シート及び下係止シートは、それぞれ前記位置決め壁の上、下縁から内方へ垂直延在しており、対応する枢接槽と先端縁に位置する当接縁とがそれぞれ設けられている眼鏡フレームと、
眼鏡脚本体と第２の結合部とを含み、前記第２の結合部は、弾性シートであり、前記眼鏡脚本体の前段に結合されており、その根部が、前記眼鏡脚本体の内側に固定され、その先端部が、前記根部から前方へ折り曲げ延在し、前記２つの枢接槽に対応する係合孔が設けられ、各係合孔は、対応する枢接槽に係合され、前記眼鏡脚本体の前段は、前記第１の結合部に当接する眼鏡脚であって、前記第１の結合部に結合されることで、前記眼鏡フレームに対して内方へ折り畳み収納しまたは外方へ拡開することができる眼鏡脚と、
を備えることを特徴とする薄フレーム眼鏡組み合わせ構造。
【請求項２】
前記第１の結合部と連結段との間には折り曲げ状の止め壁が設けられていることを特徴とする請求項１に記載の薄フレーム眼鏡組み合わせ構造。
【考案の詳細な説明】
【技術分野】
【０００１】
本考案は、薄フレーム眼鏡組み合わせ構造に関し、特にシート材加工成形に適する眼鏡に関するものである。
【背景技術】
【０００２】
従来の眼鏡は、一般に、メガネフレームと２つの眼鏡脚とからなる。眼鏡フレームの両側には、枢接部がそれぞれ設けられ、眼鏡脚の先端には、枢接リングが設けられており、枢接部が枢接リングに対応してネジにより関節のように作動可能に結合されることで、眼鏡脚は、眼鏡フレームに対して内方へ折り畳み収納しまたは外方へ拡開することができる。しかしながら、ネジは、長期的使用に従って次第に緩みやすくなり、たまに回転締付しないと適当な締付力を維持することができず、操作上の不便になる。
【０００３】
眼鏡製造技術の向上のため、高価の眼鏡は、設計が軽薄の方向へ進んでおり、眼鏡フレーム及び眼鏡脚は、強靭且つ軽質の材質からなるのが多くある。材料も、シート状または線状の材料で直接加工されるようになっている。このため、眼鏡フレームと眼鏡脚との結合部分に上記関節構造が保留されたままであれば、シート状または線状材料の上に該関節構造をさらに製造する必要がある。該関節構造によって、眼鏡の重量が増すのみならず、製造工程においても加工困難性やコストが増加し、また、関節構造のネジが緩みやすい問題も回避することができなくなる。従って、従来の薄フレーム眼鏡組み合わせ構造には改良の余地が存在している。
【考案の概要】
【考案が解決しようとする課題】
【０００４】
そこで、本考案は、ネジを用いることなく、眼鏡脚を眼鏡フレームに容易に結合するための薄フレーム眼鏡組み合わせ構造を提供することを目的とする。
【課題を解決するための手段】
【０００５】
本考案に係る構造は、眼鏡フレームと眼鏡脚とを含む。該眼鏡フレームの両側には連結段が設けられ、各連結段の末端には第１の結合部が設けられており、第１の結合部は、位置決め壁と、上係止シートと、下係止シートとを含む。上係止シート及び下係止シートは、それぞれ位置決め壁の上、下縁に設けられるとともに、その位置に対応する枢接槽と先端縁に位置する当接縁とがそれぞれ設けられている。眼鏡脚は、眼鏡脚本体と第２の結合部とを含み、第２の結合部は、弾性シートであり、その根部が眼鏡脚本体の内側に固定されている。第２の結合部には、該２つの枢接槽に対応する係合孔が設けられている。係合孔は、枢接槽に係合され、眼鏡脚本体は、第１の結合部の外側が位置決め壁に当接し、第１の結合部が第２の結合部に結合される。
【考案の効果】
【０００６】
本考案に係る眼鏡組み合わせ構造によれば、眼鏡脚と眼鏡フレームとの組み付けは、ネジを用いることなく完成することができ、従来の眼鏡構造のネジが緩む問題を改善することができ、また、眼鏡脚及び眼鏡フレームの外方拡開角度が弾性を有するため、装着時の快適性を向上することができる。
【図面の簡単な説明】
【０００７】
【図１】本考案に係る眼鏡組み合わせ構造の組み合わせ立体図である。
【図２】図１の眼鏡フレーム及び眼鏡脚の局所構造分解図である。
【図３】図１の眼鏡フレーム及び眼鏡脚の局所構造組み合わせ図である。
【図４】図１の眼鏡脚本体前段が止め壁に当接することで眼鏡脚の外方への過度な拡開を防止する様子を示す模式図である。
【考案を実施するための形態】
【０００８】
図１〜４に示すように、本考案に係る薄フレーム眼鏡組み合わせ構造は、眼鏡フレーム１０と眼鏡脚２０とを含む。眼鏡フレーム１０の両側には連結段１１が設けられ、各連結段１１の末端には第１の結合部１２が設けられている。眼鏡脚２０の眼鏡フレーム１０に連結された一端には第１の結合部２２が設けられている。第１の結合部１２と第１の結合部２２との相互結合により、構造が簡易かつ組み付けが容易である薄フレーム眼鏡を構成することができる。
【０００９】
図２は、第１の結合部１２と連結段１１の末端との間に折り曲げ状の止め壁１３が形成されている。第１の結合部１２は、位置決め壁１２１と、上係止シート１２２と、下係止シート１２３とを含む。上係止シート１２２及び下係止シート１２３は、それぞれ位置決め壁１２１の上、下縁から内方へ垂直に折り曲げて形成されるととも、その位置に対応する枢接槽１２４と先端縁に位置する当接縁１２５とがそれぞれ設けられている。
【００１０】
眼鏡脚２０は、適当な強度及び靭性を有するシート材からなり、眼鏡脚本体２１と第２の結合部２２とを含み、第２の結合部２２は、弾性シートであり、眼鏡脚本体２１の前段２１１に結合されている。第１の結合部２２は、その根部２２０が眼鏡脚本体２１の内側に固定され、先端部２２２が根部２２０から前方へ折り曲げ延在しており、２つの枢接槽１２４に対応する係合孔２２１が設けられている。組み付け上、係合孔２２１で枢接槽１２４に係合し、眼鏡脚本体２１の前段２１１を第１の結合部１２の外側から位置決め壁１２１（図４参照）に当接し、眼鏡脚２０と第１の結合部１２とを結合させることで、眼鏡脚２０は、眼鏡フレーム１０に対して内方へ折り畳み収納しまたは外方へ拡開することができる。
【００１１】
図３は、眼鏡脚２０が内方へ折り畳み納められた状態を示す。眼鏡脚２０が眼鏡フレーム１０の方向へ折り曲げられることで眼鏡脚本体２１が上係止シート１２２及び下係止シート１２３の当接縁１２５に接合される場合、眼鏡脚２０の折り畳み収納は、この位置に位置決めされ、この場合、係合孔２２１は、依然として枢接槽１２４に係合されるため、脱出することはない。
【００１２】
図４は、眼鏡脚２０が外方へ拡開する状態を示す。眼鏡脚２０が眼鏡フレーム１０に対して外方へ拡開した場合、眼鏡脚本体２１の前段２１１は、止め壁１３によって受け止められる。このため、眼鏡脚２０の過度な拡開を回避することができ、この適当な外方拡開角度は、顔の大きいユーザに対して眼鏡装着時の快適性を提供することもできる。
【００１３】
本考案に係る薄フレーム眼鏡組み合わせ構造によれば、ネジを用いることなく、眼鏡フレーム１０と眼鏡脚２０との組み付けを完成することができる。特に、眼鏡フレーム１０における連結段１１から第１の結合部１２は、シート状材料が線切断等の製造工程により展開面が形成された後、順次折り曲げられて成形することができる。従って、各部位は、改めて加工結合を行うことなく、加工プロセス及び製造コストを大幅低減することができる。
【００１４】
上記のように、これらの実施の形態は本考案の好ましい実施例のみであり、本考案の特許請求の範囲に基づいてなされる等価の変更や修飾は、本考案の技術範囲に入るものである。
【００１５】
以上のように、本考案では、両側に連結段が設けられ、前記連結段の末端に第１の結合部が設けられており、前記第１の結合部は、位置決め壁と、上係止シートと、下係止シートとを含み、前記上係止シート及び下係止シートは、それぞれ前記位置決め壁の上、下縁から内方へ垂直延在しており、対応する枢接槽と先端縁に位置する当接縁とがそれぞれ設けられている眼鏡フレームと、眼鏡脚本体と第２の結合部とを含み、前記第２の結合部は、弾性シートであり、前記眼鏡脚本体の前段に結合されており、その根部が、前記眼鏡脚本体の内側に固定され、その先端部が、前記根部から前方へ折り曲げ延在し、前記２つの枢接槽に対応する係合孔が設けられ、各係合孔は、対応する枢接槽に係合され、前記眼鏡脚本体の前段は、前記第１の結合部に当接する眼鏡脚であって、前記第１の結合部に結合されることで、前記眼鏡フレームに対して内方へ折り畳み収納しまたは外方へ拡開することができる眼鏡脚と、を備えることを特徴とする薄フレーム眼鏡組み合わせ構造。
【００１６】
また、前記第１の結合部と連結段との間には折り曲げ状の止め壁が設けられているものとする。
【産業上の利用可能性】
【００１７】
本考案に係る眼鏡組み合わせ構造によれば、眼鏡脚と眼鏡フレームとの組み付けは、ネジを用いることなく完成することができ、従来の眼鏡構造のネジが緩む問題を改善することができ、また、眼鏡脚及び眼鏡フレームの外方拡開角度が弾性を有するため、装着時の快適性を向上することができる。
【符号の説明】
【００１８】
１０  眼鏡フレーム
１１  連結段
１２  第１の結合部
１２１  位置決め壁
１２２  上係止シート
１２３  下係止シート
１２４  枢接槽
１２５  当接縁
１３  止め壁
２０  眼鏡脚
２１  眼鏡脚本体
２１１  前段
２２  第１の結合部
２２０  根部
２２１  係合孔
２２２  先端部
【図１】
0003194120.tif 000003
【図２】
0003194120.tif 000004
【図３】
0003194120.tif 000005
【図４】
0003194120.tif 000006